【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】  ユーザーがユーザーの足で立ちながら運動するための運動器具であって、
枠体と、
右足ペダルおよび左足ペダルであって、これら左右のペダルは横方向に離間しており、夫々がユーザーの対応する足の前端部を受け入れる寸法の前端部、およびユーザーの対応する足の後端部を受け入れる寸法の後端部を有する左右のペダルと、
上記右ペダルを支持する上方に向いた右ペダル揺動アームであって、該右揺動アームは上記枠体に対して後方および前方に揺動するように上記枠体に旋回自在に結合された上端部と、アーチ状経路に沿った運動の際にユーザーが変更可能な後方および前方への量で上記右ペダルの後方および前方への往復運動のために上記右ペダルの上記前端部に旋回自在に結合された下端部とを有し、上記右ペダルの上記後方への移動の上記後方への可変量は、運動の際にユーザーが上記右ペダルに載置するユーザーの足の後方への移動量に対応し、上記右揺動アームの上記下端部は、運動の際にユーザーが変更可能な下方および上方への量で、その上記前端部に対するその上記後端部の下方および上方への旋回移動をさせるために上記右ペダルを支持し、上記右ペダルの上記後端部の上記下方への移動の上記変更可能な下方への量は、運動の際に上記右ペダルの上記後端部にユーザーが載置したユーザーの足の後端部の下方への移動量に対応する右ペダル揺動アームと、
上記左ペダルを支持する上方に向いた左ペダル揺動アームであって、該左揺動アームは上記枠体に対して後方および前方に揺動するように上記枠体に旋回自在に結合された上端部と、アーチ状経路に沿った運動の際にユーザーが変更可能な後方および前方への量で上記左ペダルの後方および前方への往復運動のために上記左ペダルの上記前端部に旋回自在に結合された下端部とを有し、上記左ペダルの上記後方への移動の上記後方への可変量は、運動の際にユーザーが上記左ペダルに載置するユーザーの足の後方への移動量に対応し、上記左揺動アームの上記下端部は、運動の際にユーザーが変更可能な下方および上方への量で、その上記前端部に対するその上記後端部の下方および上方への旋回移動をさせるために上記左ペダルを支持し、上記左ペダルの上記後端部の上記下方への移動の上記変更可能な下方への量は、運動の際に上記左ペダルの上記後端部にユーザーが載置したユーザーの足の後端部の下方への移動量に対応する左ペダル揺動アームと、
上記フレーム、並びに上記右揺動アームおよび左揺動アームを拘束する揺動制御部材であって、運動の際にユーザーが上記左ペダルに載置するユーザーの足の後方への移動に対応した上記左揺動アームの上記後方への移動に応答して、上記揺動制御部材は上記左揺動アームの上記変更可能な後方への移動量に対応した上記変更可能な前方への移動量で上記右揺動アームを前方に移動させ、運動の際にユーザーが上記右ペダルに載置するユーザーの足の後方への移動に対応した上記右揺動アームの上記後方への移動に応答して、上記揺動制御部材は上記右揺動アームの上記変更可能な後方への移動量に対応した上記変更可能な前方への移動量で上記左揺動アームを前方に移動させる揺動制御部材と、
上方に向いた右リフトアームおよび左リフトアームであって、上記右リフトアームは上記枠体に旋回自在に結合された上端部と、上記右ペダルの上記後端部に旋回自在に結合された下端部とを有し、上記左リフトアームは上記枠体に旋回自在に結合された上端部と、上記左ペダルの上記後端部に旋回自在に結合された下端部とを有し、上記右リフトアームおよび左リフトアームは相互連結部材によって相互に連結される結果、運動の際にユーザーが上記左ペダルに載置するユーザーの足の後端部の下方への移動に対応した上記左ペダルの上記後端部の上記下方への移動に応答して、上記相互連結部材は上記右リフトアームに対して右側持ち上げ力を加え、上記左ペダルの変更可能な下方への移動量に対応したその変更可能な上方への移動量で上記右ペダルの上記後端部を上方に持ち上げ、また運動の際にユーザーが上記右ペダルに載置するユーザーの足の後端部の下方への移動に対応した上記右ペダルの上記後端部の上記下方への移動に応答して、上記相互連結部材は上記左リフトアームに対して左側持ち上げ力を加え、上記右ペダルの変更可能な下方への移動量に対応したその変更可能な上方への移動量で上記左ペダルの上記後端部を上方に持ち上げ、上記揺動制御部材および上記リフトアームは、上記揺動制御部材による上記左右の揺動アームの移動と上記左右のリフトアームによる上記左右のペダルの移動とが相互に独立であるように動作的に切り離されている左右のリフトアームと、
を有することを特徴とする運動器具。
【請求項２】  ユーザーがユーザーの足で立ちながら運動するための運動器具であって、
枠体と、
右足ペダルおよび左足ペダルであって、これら左右のペダルは横方向に離間しており、夫々がユーザーの対応する足の前端部を受け入れる寸法の前端部、およびユーザーの対応する足の後端部を受け入れる寸法の後端部を有する左右のペダルと、
上記右ペダルを支持する上方に向いた右ペダル揺動アームであって、該右揺動アームは上記枠体に対して後方および前方に揺動するように上記枠体に旋回自在に結合された上端部と、アーチ状経路に沿った運動の際にユーザーが変更可能な後方および前方への量で上記右ペダルの後方および前方への往復運動のために上記右ペダルに旋回自在に結合された下端部とを有し、上記右ペダルの上記後方への移動の上記後方への可変量は、運動の際にユーザーが上記右ペダルに載置するユーザーの足の後方への移動量に対応し、上記右揺動アームの上記下端部は、運動の際にユーザーが変更可能な下方および上方への量で、その上記前端部に対するその上記後端部の下方および上方への移動のために上記右ペダルを支持し、上記右ペダルの上記後端部の上記下方への移動の上記変更可能な下方への量は、運動の際に上記右ペダルの上記後端部にユーザーが載置したユーザーの足の後端部の下方への移動量に対応する右ペダル揺動アームと、
上記左ペダルを支持する上方に向いた左ペダル揺動アームであって、該左揺動アームは上記枠体に対して後方および前方に揺動するように上記枠体に旋回自在に結合された上端部と、アーチ状経路に沿った運動の際にユーザーが変更可能な後方および前方への量で上記左ペダルの後方および前方への往復運動のために上記左ペダルに旋回自在に結合された下端部とを有し、上記左ペダルの上記後方への移動の上記後方への可変量は、運動の際にユーザーが上記左ペダルに載置するユーザーの足の後方への移動量に対応し、上記左揺動アームの上記下端部は、運動の際にユーザーが変更可能な下方および上方への量で、その上記前端部に対するその上記後端部の下方および上方への移動のために上記左ペダルを支持し、上記左ペダルの上記後端部の上記下方への移動の上記変更可能な下方への量は、運動の際に上記左ペダルの上記後端部にユーザーが載置したユーザーの足の後端部の下方への移動量に対応する左ペダル揺動アームと、
上記フレーム、並びに上記右揺動アームおよび左揺動アームを拘束する揺動制御部材であって、運動の際にユーザーが上記左ペダルに載置するユーザーの足の後方への移動に対応した上記左揺動アームの上記後方への移動に応答して、上記揺動制御部材は上記左揺動アームの上記変更可能な後方への移動量に対応した上記変更可能な前方への移動量で上記右揺動アームを前方に移動させ、運動の際にユーザーが上記右ペダルに載置するユーザーの足の後方への移動に対応した上記右揺動アームの上記後方への移動に応答して、上記揺動制御部材は上記右揺動アームの上記変更可能な後方への移動量に対応した上記変更可能な前方への移動量で上記左揺動アームを前方に移動させる揺動制御部材と、
上方に向いた右リフトアームおよび左リフトアームであって、上記右リフトアームは上記枠体に旋回自在に結合された上端部と、上記右ペダルに旋回自在に結合された下端部とを有し、上記左リフトアームは上記枠体に旋回自在に結合された上端部と、上記左ペダルに旋回自在に結合された下端部とを有し、運動の際にユーザーが上記左ペダルに載置するユーザーの足の後端部の下方への移動に対応した上記左ペダルの上記後端部の上記下方への移動に応答して、上記右リフトアームは、上記左ペダルの変更可能な下方への移動量に対応したその変更可能な上方への移動量で上記右ペダルの上記後端部を上方に移動させ、また運動の際にユーザーが上記右ペダルに載置するユーザーの足の後端部の下方への移動に対応した上記右ペダルの上記後端部の上記下方への移動に応答して、上記左リフトアームは、上記右ペダルの変更可能な下方への移動量に対応したその変更可能な上方への移動量で上記左ペダルの上記後端部を上方に移動させ、上記揺動制御部材および上記リフトアームは、上記揺動制御部材による上記左右の揺動アームの移動と上記左右のリフトアームによる上記左右のペダルの移動とが相互に独立であるように動作的に切り離されている左右のリフトアームと、
を有することを特徴とする運動器具。
【請求項３】  ユーザーがユーザーの足で立ちながら運動するための運動器具であって、
枠体と、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
上記右ペダルを支持する右ペダル揺動アームであって、該右揺動アームは上記枠体に対して後方および前方に揺動するように上記枠体に旋回自在に結合された上端部と、アーチ状経路に沿った運動の際にユーザーが変更可能な後方および前方への量で上記右ペダルの後方および前方への往復運動のために上記右ペダルに旋回自在に結合された下端部とを有し、上記右ペダルの上記後方への移動の上記後方への可変量は、運動の際にユーザーが上記右ペダルに載置するユーザーの足の後方への移動量に対応し、上記右揺動アームの上記下端部は、運動の際にユーザーが変更可能な下方および上方への量で、その上記前端部に対するその上記後端部の下方および上方への移動のために上記右ペダルを支持し、上記右ペダルの上記後端部の上記下方への移動の上記変更可能な下方への量は、運動の際に上記右ペダルの上記後端部にユーザーが載置したユーザーの足の後端部の下方への移動量に対応する右ペダル揺動アームと、
上記左ペダルを支持する左ペダル揺動アームであって、該左揺動アームは上記枠体に対して後方および前方に揺動するように上記枠体に旋回自在に結合された上端部と、アーチ状経路に沿った運動の際にユーザーが変更可能な後方および前方への量で上記左ペダルの後方および前方への往復運動のために上記左ペダルに旋回自在に結合された下端部とを有し、上記左ペダルの上記後方への移動の上記後方への可変量は、運動の際にユーザーが上記左ペダルに載置するユーザーの足の後方への移動量に対応し、上記左揺動アームの上記下端部は、運動の際にユーザーが変更可能な下方および上方への量での、その上記前端部に対するその上記後端部の下方および上方への移動のために上記左ペダルを支持し、上記左ペダルの上記後端部の上記下方への移動の上記変更可能な下方への量は、運動の際に上記左ペダルの上記後端部にユーザーが載置したユーザーの足の後端部の下方への移動量に対応する左ペダル揺動アームと、
上記枠体、並びに上記右揺動アームおよび左揺動アームを拘束する揺動制御部材であって、運動の際にユーザーが上記左ペダルに載置するユーザーの足の後方への移動に対応した上記左揺動アームの上記後方への移動に応答して、上記揺動制御部材は上記左揺動アームの上記変更可能な後方への移動量に対応した上記変更可能な前方への移動量で上記右揺動アームを前方に移動させ、運動の際にユーザーが上記右ペダルに載置するユーザーの足の後方への移動に対応した上記右揺動アームの上記後方への移動に応答して、上記揺動制御部材は上記右揺動アームの上記変更可能な後方への移動量に対応した上記変更可能な前方への移動量で上記左揺動アームを前方に移動させる揺動制御部材と、
上記枠体および上記左右のペダルを拘束するリフト制御部材であって、運動の際にユーザーが上記左ペダルに載置するユーザーの足の後端部の下方への移動に対応した上記左ペダルの上記後端部の上記下方への移動に応答して、上記リフト部材は、上記左ペダルの変更可能な下方への移動量に対応したその変更可能な上方への移動量で上記右ペダルの上記後端部を上方に移動させ、また運動の際にユーザーが上記右ペダルに載置するユーザーの足の後端部の下方への移動に対応した上記右ペダルの上記後端部の上記下方への移動に応答して、上記リフト部材は、上記右ペダルの変更可能な下方への移動量に対応したその変更可能な上方への移動量で上記左ペダルの上記後端部を上方に移動させ、上記揺動制御部材および上記リフト部材は、上記揺動制御部材による上記左右の揺動アームの移動と上記左右のリフトアームによる上記左右のペダルの移動とが相互に独立であるように動作的に切り離されているリフト制御部材と、
を有することを特徴とする運動器具。
【請求項４】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ右経路に沿った運動の際にユーザーが変更可能な後方および前方への量で上記右ペダルの後方および前方への往復運動のために上記右ペダルに結合された下端部を有する右ペダル揺動アームであって、上記右ペダルの上記後方への移動の上記後方への可変量は、運動の際にユーザーが上記右ペダルに載置するユーザーの足の後方への移動量に対応し、上記右揺動アームの上記下端部は、運動の際にユーザーが変更可能な下方および上方への量での、その上記前端部に対するその上記後端部の下方および上方への移動のために上記右ペダルを支持し、上記右ペダルの上記後端部の上記下方への移動の上記変更可能な下方への量は、運動の際に上記右ペダルの上記後端部にユーザーが載置したユーザーの足の後端部の下方への移動量に対応する右ペダル揺動アームと、
前方および後方への揺動移動のために上記左ペダルを支持し、且つ左経路に沿った運動の際にユーザーが変更可能な後方および前方への量で上記左ペダルの後方および前方への往復運動のために上記左ペダルに結合された下端部を有する左ペダル揺動アームであって、上記左ペダルの上記後方への移動の上記後方への可変量は、運動の際にユーザーが上記左ペダルに載置するユーザーの足の後方への移動量に対応し、上記左揺動アームの上記下端部は、運動の際にユーザーが変更可能な下方および上方への量での、その上記前端部に対するその上記後端部の下方および上方への移動のために上記左ペダルを支持し、上記左ペダルの上記後端部の上記下方への移動の上記変更可能な下方への量は、運動の際に上記左ペダルの上記後端部にユーザーが載置したユーザーの足の後端部の下方への移動量に対応する左ペダル揺動アームと、
上記右揺動アームおよび左揺動アームを拘束する揺動制御部材であって、運動の際にユーザーが上記左ペダルに載置するユーザーの足の後方への移動に対応した上記左揺動アームの上記後方への移動に応答して、上記揺動制御部材は上記左揺動アームの上記変更可能な後方への移動量に対応した上記変更可能な前方への移動量で上記右揺動アームを前方に移動させ、運動の際にユーザーが上記右ペダルに載置するユーザーの足の後方への移動に対応した上記右揺動アームの上記後方への移動に応答して、上記揺動制御部材は上記右揺動アームの上記変更可能な後方への移動量に対応した上記変更可能な前方への移動量で上記左揺動アームを前方に移動させる揺動制御部材と、
上記左右のペダルを拘束するリフト制御部材であって、運動の際にユーザーが上記左ペダルに載置するユーザーの足の後端部の下方への移動に対応した上記左ペダルの上記後端部の上記下方への移動に応答して、上記リフト制御部材は、上記左ペダルの変更可能な下方への移動量に対応したその変更可能な上方への移動量で上記右ペダルの上記後端部を上方に移動させ、また運動の際にユーザーが上記右ペダルに載置するユーザーの足の後端部の下方への移動に対応した上記右ペダルの上記後端部の上記下方への移動に応答して、上記リフト制御部材は、上記右ペダルの変更可能な下方への移動量に対応したその変更可能な上方への移動量で上記左ペダルの上記後端部を上方に移動させるリフト制御部材と、
を有することを特徴とする運動器具。
【請求項５】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ右経路に沿った運動の際にユーザーが変更可能な後方および前方への量で上記右ペダルの後方および前方への往復運動のために上記右ペダルに結合された下端部を有する右ペダル揺動部材であって、上記右ペダルの上記後方への移動の上記後方への可変量は、運動の際にユーザーが上記右ペダルに載置するユーザーの足の後方への移動量に対応し、上記右揺動部材の上記下端部は、運動の際にユーザーが変更可能な下方および上方への量での、その上記前端部に対するその上記後端部の下方および上方への移動のために上記右ペダルを支持し、上記右ペダルの上記後端部の上記下方への移動の上記変更可能な下方への量は、運動の際に上記右ペダルの上記後端部にユーザーが載置したユーザーの足の後端部の下方への移動量に対応する右ペダル揺動部材と、
前方および後方への揺動移動のために上記左ペダルを支持し、且つ左経路に沿った運動の際にユーザーが変更可能な後方および前方への量で上記左ペダルの後方および前方への往復運動のために上記左ペダルに結合された下端部を有する左ペダル揺動部材であって、上記左ペダルの上記後方への移動の上記後方への可変量は、運動の際にユーザーが上記左ペダルに載置するユーザーの足の後方への移動量に対応し、上記左揺動部材の上記下端部は、運動の際にユーザーが変更可能な下方および上方への量での、その上記前端部に対するその上記後端部の下方および上方への移動のために上記左ペダルを支持し、上記左ペダルの上記後端部の上記下方への移動の上記変更可能な下方への量は、運動の際に上記左ペダルの上記後端部にユーザーが載置したユーザーの足の後端部の下方への移動量に対応する左ペダル揺動部材と、
上記右揺動部材および左揺動部材を拘束する揺動制御部材であって、運動の際にユーザーが上記左ペダルに載置するユーザーの足の後方への移動に対応した上記左揺動部材の上記後方への移動に応答して、上記揺動制御部材は上記左揺動部材の上記変更可能な後方への移動量に対応した上記変更可能な前方への移動量で上記右揺動部材を前方に移動させ、運動の際にユーザーが上記右ペダルに載置するユーザーの足の後方への移動に対応した上記右揺動部材の上記後方への移動に応答して、上記揺動制御部材は上記右揺動部材の上記変更可能な後方への移動量に対応した上記変更可能な前方への移動量で上記左揺動部材を前方に移動させる揺動制御部材と、
上記左右のペダルを拘束するリフト制御部材であって、運動の際にユーザーが上記左ペダルに載置するユーザーの足の後端部の下方への移動に対応した上記左ペダルの上記後端部の上記下方への移動に応答して、上記リフト制御部材は、上記左ペダルの変更可能な下方への移動量に対応したその変更可能な上方への移動量で上記右ペダルの上記後端部を上方に移動させ、また運動の際にユーザーが上記右ペダルに載置するユーザーの足の後端部の下方への移動に対応した上記右ペダルの上記後端部の上記下方への移動に応答して、上記リフト制御部材は、上記右ペダルの変更可能な下方への移動量に対応したその変更可能な上方への移動量で上記左ペダルの上記後端部を上方に移動させるリフト制御部材と、
を有することを特徴とする運動器具。
【請求項６】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ右経路に沿った上記右ペダルの後方および前方への往復運動のために上記右ペダルに結合された下端部を有する右ペダル揺動部材であって、該右揺動部材の上記下端部は、運動の際にユーザーが変更可能な下方および上方への量での、その上記前端部に対するその上記後端部の下方および上方への回転移動のために上記右ペダルを支持する右ペダル揺動部材と、
前方および後方への揺動移動のために上記左ペダルを支持し、且つ左経路に沿った上記左ペダルの後方および前方への往復運動のために上記左ペダルに結合された下端部を有する左ペダル揺動部材であって、該左揺動部材の上記下端部は、運動の際にユーザーが変更可能な下方および上方への量での、その上記前端部に対するその上記後端部の下方および上方への回転移動のために上記左ペダルを支持する左ペダル揺動部材と、
上記左右のペダルを拘束するリフト制御部材であって、上記左ペダルの上記後端部の上記下方への移動に応答して、上記リフト制御部材は上記右ペダルの上記後端部を上方に移動させ、上記右ペダルの上記後端部の上記下方への移動に応答して、上記リフト制御部材は上記左ペダルの上記後端部を上方に移動させるリフト制御部材と、
を有することを特徴とする運動器具。
【請求項７】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ上記右ペダルの後方および前方への往復運動のために上記右ペダルに結合された下端部を有する右ペダル揺動部材であって、該右揺動部材の上記下端部は、その上記前端部に対するその上記後端部の下方および上方への移動のために上記右ペダルを支持する右ペダル揺動部材と、
前方および後方への揺動移動のために上記左ペダルを支持し、且つ上記左ペダルの後方および前方への往復運動のために上記左ペダルに結合された下端部を有する左ペダル揺動部材であって、該左揺動部材の上記下端部は、その上記前端部に対するその上記後端部の下方および上方への移動のために上記左ペダルを支持する左ペダル揺動部材と、
上記左右の揺動部材を拘束する揺動制御部材であって、上記左揺動部材の後方への移動に応答して、上記揺動制御部材は上記右揺動部材を前方に移動させ、また上記右揺動部材の後方への移動に応答して、上記揺動制御部材は上記左揺動部材を前方に移動させる揺動制御部材と、
上記左右のペダルを拘束するリフト制御部材であって、上記左ペダルの上記後端部の上記下方への移動に応答して、上記リフト制御部材は上記右ペダルの上記後端部を上方に移動させ、上記右ペダルの上記後端部の上記下方への移動に応答して、上記リフト制御部材は上記左ペダルの上記後端部を上方に移動させ、また上記リフト制御部材による上記揺動部材の移動と上記リフト制御部材による上記左右のペダルの移動とが相互に独立であるように、上記揺動制御部材および上記リフト制御部材は動作的に切り離されているリフト制御部材と、
を有することを特徴とする運動器具。
【請求項８】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ上記右ペダルの後方および前方への往復運動のために上記右ペダルに結合された下端部を有する右ペダル揺動部材であって、該右揺動部材の上記下端部は、その上記前端部に対するその上記後端部の下方および上方への移動のために上記右ペダルを支持する右ペダル揺動部材と、
前方および後方への揺動移動のために上記左ペダルを支持し、且つ上記左ペダルの後方および前方への往復運動のために上記左ペダルに結合された下端部を有する左ペダル揺動部材であって、該左揺動部材の上記下端部は、その上記前端部に対するその上記後端部の下方および上方への移動のために上記左ペダルを支持する左ペダル揺動部材と、
上記左右のペダルを拘束するリフト制御部材であって、上記左ペダルの上記後端部の上記下方への移動に応答して、上記リフト制御部材は上記右ペダルの上記後端部を上方に移動させ、上記右ペダルの上記後端部の上記下方への移動に応答して、上記リフト制御部材は上記左ペダルの上記後端部を上方に移動させ、また上記リフト制御部材による上記左右のペダルの上方および下方への移動が上記左右の揺動部材の前方および後方への往復運動から独立であるように、上記リフト制御部材は上記左右の揺動部材から動作的に切り離されているリフト制御部材と、
を有することを特徴とする運動器具。
【請求項９】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ上記右ペダルの後方および前方への往復運動のために上記右ペダルに結合された下端部を有する右ペダル揺動部材であって、該右揺動部材の上記下端部は、その上記前端部に対するその上記後端部の下方および上方への移動のために上記右ペダルを支持する右ペダル揺動部材と、
前方および後方への揺動移動のために上記左ペダルを支持し、且つ上記左ペダルの後方および前方への往復運動のために上記左ペダルに結合された下端部を有する左ペダル揺動部材であって、該左揺動部材の上記下端部は、その上記前端部に対するその上記後端部の下方および上方への移動のために上記左ペダルを支持する左ペダル揺動部材と、
上記左右の揺動部材を拘束する揺動制御部材であって、上記左揺動部材の後方への移動に応答して、上記揺動制御部材は上記右揺動部材を前方に移動させ、また上記右揺動部材の後方への移動に応答して、上記揺動制御部材は上記左揺動部材を前方に移動させ、また上記揺動制御部材による上記左右の揺動部材の後方および前方への往復運動が上記左右のペダルの上記上方および下方への移動から独立するように、上記揺動制御部材は上記左右のペダルから動作的に切り離されている揺動制御部材と、
を有することを特徴とする運動器具。
【請求項１０】  ユーザーがユーザーの足で立ちながら運動するための運動器具において、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ運動の際にユーザーが上記左右のペダルの上に乗りながら適用する後方および前方への足移動により変化し得る後方および前方への量で、上記右ペダルを後方および前方へ往復運動させるために上記右ペダルに結合された下端部を有する右ペダル揺動部材であって、該右揺動部材の上記下端部は、運動の際にユーザが上記左右のペダルの上に乗りながら適用する後方および前方への足移動により変化し得る後方および前方への量で、その上記前方端部に対してその上記後方端部を下方および上方へ移動させるために上記右ペダルを支持する右ペダル揺動部材と、
前方および後方への揺動移動のために上記左ペダルを支持し、且つ運動の際にユーザが上記左右のペダルの上に乗りながら適用する後方および前方への足移動により変化し得る後方および前方への量で、上記左ペダルを後方および前方へ往復運動させるために上記左ペダルに結合された下端部を有する左ペダル揺動部材であって、該左揺動部材の上記下端部は、運動の際にユーザが上記左右のペダルの上に乗りながら適用する後方および前方への足移動により変化し得る後方および前方への量で、その上記前方端部に対してその上記後方端部を下方および上方へ移動させるために上記左ペダルを支持する左ペダル揺動部材と、
上記左右の揺動部材を拘束する揺動制御部材であって、運動の際にユーザが上記左ペダルに対して適用するユーザの足の後方への移動に対応する上記左揺動部材の後方への移動に応答して、上記揺動制御部材は、上記左揺動部材の上記変化し得る後方への移動量に対応するその変化可能な前方への移動量で上記右揺動部材を前方に移動させ、また運動の際にユーザが上記右ペダルに対して適用するユーザの足の後方への移動に対応する上記右揺動部材の後方への移動に応答して、上記揺動制御部材は、上記右揺動部材の上記変化し得る後方への移動量に対応するその変化可能な前方への移動量で上記左揺動部材を前方に移動させる揺動制御部材と、
上記左右のペダルを拘束するリフト制御部材であって、運動の際にユーザが上記左ペダルに対して適用するユーザの足の後端部の下方への移動に対応する上記左ペダルの後端部の下方への移動に応答して、上記リフト制御部材は、上記左ペダルの変化し得る下方への移動量に対応する上記変化し得る上方への移動量で上記右ペダルの後端部を上方に移動させ、また運動の際にユーザが上記右ペダルに対して適用するユーザの足の後端部の下方への移動に対応する上記右ペダルの後端部の下方への移動に応答して、上記リフト制御部材は、上記右ペダルの変化し得る下方への移動量に対応する上記変化し得る上方への移動量で上記左ペダルの後端部を上方に移動させるリフト制御部材と、
を有することを特徴とする運動器具。
【請求項１１】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、且つ運動の際にユーザーが上記左右のペダルの上に乗りながら適用する後方および前方への足移動により変化し得る後方および前方への量で、上記右ペダルを後方および前方へ往復運動させるために上記右ペダルに結合された下端部を有する右ペダル揺動部材であって、該右揺動部材の上記下端部は、運動の際にユーザが上記左右のペダルの上に乗りながら適用する後方および前方への足移動により変化し得る後方および前方への量で、その上記前方端部に対してその上記後方端部を下方および上方へ移動させるために上記右ペダルを支持する右ペダル揺動部材と、
前方および後方への揺動移動のために上記左ペダルを支持し、且つ運動の際にユーザが上記左右のペダルの上に乗りながら適用する後方および前方への足移動により変化し得る後方および前方への量で、上記左ペダルを後方および前方へ往復運動させるために上記左ペダルに結合された下端部を有する左ペダル揺動部材であって、該左揺動部材の上記下端部は、運動の際にユーザが上記左右のペダルの上に乗りながら適用する後方および前方への足移動により変化し得る後方および前方への量で、その上記前方端部に対してその上記後方端部を下方および上方へ移動させるために上記左ペダルを支持する左ペダル揺動部材と、
上記右ペダルを支持し、且つ上記右ペダルに対して右側持ち上げ力を加えて、運動の際にユーザーが上記左右のペダルに乗って加える足移動に対応したユーザーが変化し得る下方への移動量で、上記右ペダルの後方端部を持ち上げる右リフト部材と、
上記左ペダルを支持し、且つ上記左ペダルに対して左側持ち上げ力を加えて、運動の際にユーザーが上記左右のペダルに乗って加える足移動に対応したユーザーが変化し得る下方への移動量で、上記左ペダルの後方端部を持ち上げる左リフト部材であって、上記左右の揺動部材および上記左右のリフト部材が一緒になって、上記左右のペダルのための揺動支持を提供し、またその下方への移動を制限して、その下の如何なる構造物との支持接触もなしに上記右ペダルの抑制された揺動を与える運動器具。
【請求項１２】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有する左右のペダルと、
前方および後方への揺動移動のために上記右ペダルを支持し、上記右ペダルを後方および前方へ往復運動させるために上記右ペダルに結合された下端部を有する右ペダル揺動部材であって、該右揺動部材の上記下端部は、その上記前方端部に対してその上記後方端部を下方および上方へ移動させるために上記右ペダルを支持する右ペダル揺動部材と、
前方および後方への揺動移動のために上記左ペダルを支持し、且つ上記左ペダルを後方および前方へ往復運動させるために上記左ペダルに結合された下端部を有する左ペダル揺動部材であって、該左揺動部材の上記下端部は、その上記前方端部に対してその上記後方端部を下方および上方へ移動させるために上記左ペダルを支持する左ペダル揺動部材と、
上記右ペダルを支持し、且つ運動の際に上記右ペダルに対して右側持ち上げ力を加えて、上記右ペダルの後方端部を持ち上げる右リフト部材と、
上記左ペダルを支持し、且つ運動の際に上記左ペダルに対して左側持ち上げ力を加えて、上記左ペダルの後方端部を持ち上げる左リフト部材であって、上記左右の揺動部材および上記左右のリフト部材が一緒になって、上記左右のペダルのための揺動支持を提供し、その下方への移動を制限して、その下の如何なる構造物との支持接触もなしに上記右ペダルの抑制された揺動を与え、上記左右の揺動部材および上記左右のリフト部材は、上記左右の揺動部材による上記左右のペダルの後方および前方への移動と上記左右のリフト部材による上記左右のペダルの上記後端部の下方および上方への移動が相互に独立であるように動作的に切り離されており、これによって上記左右のペダルの揺動移動およびそのリフト移動がユーザーにより独立に行うことができる運動器具。
【請求項１３】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有し、上記右ペダルは、上記右ペダルの後端部をその前端部に対して下方および上方に移動することを可能にしながら、その後方および前方への往復移動のために支持されており、上記左ペダルは、上記左ペダルの後端部をその前端部に対して下方および上方に移動することを可能にしながら、その後方および前方への往復移動のために支持されている左右のペダルと、
上記左右のペダルを拘束する第一のペダル相互連結部材であって、上記左ペダルの後方への移動に応答して、上記第一のペダル相互連結部材は上記右ペダルを前方に移動させ、また上記右ペダルの後方への移動に応答して、上記第一のペダル相互連結部材は上記左ペダルを前方に移動させる第一のペダル相互連結部材と、
上記左右のペダルを拘束する第二のペダル相互連結部材であって、上記左ペダルの後端部の下方への移動に応答して、上記第二のペダル相互連結部材は上記右ペダルの後端部を上方に移動させ、また上記右ペダルの後端部の下方への移動に応答して、上記第一のペダル相互連結部材は上記左ペダルの後端部を上方に移動させ、上記左右のペダルの後方および前方への往復移動が上記左右のペダルの後端部の上方および下方への移動から独立であるように、上記第一および第二のペダル相互連結部材は動作的に切り離されている第二のペダル相互連結部材と、
を有することを特徴とする運動器具。
【請求項１４】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有し、上記右ペダルは、上記右ペダルの後端部をその前端部に対して下方および上方に移動することを可能にしながら、その後方および前方への往復移動のために支持されており、上記左ペダルは、上記左ペダルの後端部をその前端部に対して下方および上方に移動することを可能にしながら、その後方および前方への往復移動のために支持されている左右のペダルと、
上記左右のペダルを拘束するペダル相互連結部材であって、上記左ペダルの後方への移動に応答して、上記ペダル相互連結部材は上記右ペダルを前方に移動させ、また上記右ペダルの後方への移動に応答して、上記ペダル相互連結部材は上記左ペダルを前方に移動させるペダル相互連結部材と、
上記右ペダルの上記後端部は、運動の際にユーザーにより加えられる上記右ペダルの後端部上のユーザーの足の後端部の下方への移動量に対応して、運動の際の最大の下方移動の範囲内でユーザーが変化し得る下方への移動量で、その前端部に対して下方に移動可能であり、上記右ペダルの後端部は、上記左右のペダルの後方および前方への往復移動に関して独立に下方へ移動可能であり、
上記左ペダルの上記後端部は、運動の際にユーザーにより加えられる上記左ペダルの後端部上のユーザーの足の後端部の下方への移動量に対応して、運動の際の最大の下方移動の範囲内でユーザーが変化し得る下方への移動量で、その前端部に対して下方に移動可能であり、上記左ペダルの後端部は、上記左右のペダルの後方および前方への往復移動に関して独立に下方へ移動可能である運動器具。
【請求項１５】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有し、上記右ペダルは、上記左ペダルの後端部をその前端部に対して下方および上方に移動することを可能にしながら、その後方および前方への往復移動のために支持されており、上記左ペダルは、上記左ペダルの後端部をその前端部に対して下方および上方に移動することを可能にしながら、その後方および前方への往復移動のために支持されている左右のペダルと、
上記左右のペダルを拘束するペダル相互連結部材であって、上記左ペダルの後方への移動に応答して、上記ペダル相互連結部材は上記右ペダルを前方に移動させ、また上記右ペダルの後方への移動に応答して、上記ペダル相互連結部材は上記左ペダルを前方に移動させるペダル相互連結部材と、
上記右ペダルの上記後端部は、運動の際にユーザーにより加えられる上記右ペダルの後端部上のユーザーの足の後端部の下方への移動量に対応して、運動の際の最大の下方移動の範囲内でユーザーが変化し得る下方への移動量で、その前端部に対して下方に移動可能であり、
上記左ペダルの上記後端部は、運動の際にユーザーにより加えられる上記左ペダルの後端部上のユーザーの足の後端部の下方への移動量に対応して、運動の際の最大の下方移動の範囲内でユーザーが変化し得る下方への移動量で、その前端部に対して下方に移動可能である運動器具。
【請求項１６】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有し、上記右ペダルは、上記左ペダルの後端部をその前端部に対して下方および上方に移動することを可能にしながら、その後方および前方への往復移動のために支持されており、上記左ペダルは、上記左ペダルの後端部をその前端部に対して下方および上方に移動することを可能にしながら、その後方および前方への往復移動のために支持されている左右のペダルと、
上記左右のペダルを拘束するペダル相互連結部材であって、上記左ペダルの後方への移動に応答して、上記ペダル相互連結部材は上記右ペダルを前方に移動させ、また上記右ペダルの後方への移動に応答して、上記ペダル相互連結部材は上記左ペダルを前方に移動させるペダル相互連結部材と、
上記右ペダルを拘束して、上記右ペダルの下方への移動の後に該ペダルの後端部を上方に移動させる右踵リフト部材と、
上記左ペダルを拘束して、上記左ペダルの下方への移動の後に該ペダルの後端部を上方に移動させる左踵リフト部材と、
を有することを特徴とする運動器具。
【請求項１７】  ユーザーがユーザーの足で立ちながら運動するための運動器具であって、
右足ペダルおよび左足ペダルであって、これら左右のペダルは横方向に離間しており、夫々がユーザーの対応する足の前端部を受け入れる前端部、およびユーザーの対応する足の後端部を受け入れる後端部を有している左右のペダルと、
右経路に沿って運動の際にユーザーが変化可能な後方および前方への移動量で、上記右ペダルを後方および前方に往復移動させるために上記右ペダルを支持する右ペダル支持部材であって、上記右ペダルの変化可能な後方への移動量は、運動の際にユーザーが上記右ペダルに加えるユーザーの足の後方への移動量に対応し、上記右ペダル支持部材は上記右ペダル後端部の下方および上方への移動のために上記右ペダルを支持し、上記右ペダル後端部の下方への変化可能な移動量は、運動の際にユーザーが上記右ペダルの後端部に加えるユーザーの足の後端部の下方への移動量に対応する右ペダル支持部材と、
左経路に沿って運動の際にユーザーが変化可能な後方および前方への移動量で、上記左ペダルを後方および前方に往復移動させるために上記左ペダルを支持する左ペダル支持部材であって、上記左ペダルの変化可能な後方への移動量は、運動の際にユーザーが上記左ペダルに加えるユーザーの足の後方への移動量に対応し、上記左ペダル支持部材は上記左ペダル後端部の下方および上方への移動のために上記左ペダルを支持し、上記左ペダル後端部の下方への変化可能な移動量は、運動の際にユーザーが上記左ペダル後端部に加えるユーザーの足の後端部の下方への移動量に対応する比だありペダルス支持部材と、
上記左右のペダルを拘束する第一のペダル相互連結部材であって、運動の際にユーザーが上記左ペダルに加えるユーザーの足の後方への移動量に対応した上記左ペダルの後方への移動に応答して、上記第一のペダル相互連結部材は上記右ペダルを前方に移動させ、また運動の際にユーザーが上記右ペダルに加えるユーザーの足の後方への移動量に対応した上記右ペダルの後方への移動に応答して、上記第一のペダル相互連結部材は上記左ペダルを前方に移動させる第一のペダル相互連結部材と、
上記左右のペダルを拘束する第二のペダル相互連結部材であって、運動の際にユーザーが上記左ペダルに加えるユーザーの足の後方への移動量に対応した上記左ペダル後端部の下方への移動に応答して、上記第二のペダル相互連結部材は上記右ペダルの後端部を上方に移動させ、また運動の際にユーザーが上記右ペダルに加えるユーザーの足の後方への移動量に対応した上記右ペダル後端部の下方への移動に応答して、上記第二のペダル相互連結部材は上記左ペダルの後端部を上方に移動させる第二のペダル相互連結部材と、
を有することを特徴とする運動器具。